(57)【要約】【課題】本構成を有しない場合と比較して、被照射体に照射する光量を均一にする導光部材、光照射装置、除電装置、及び画像形成装置を提供する。【解決手段】導光路５２が、光源５０から照射された光が入射する入射面６２、感光体１２に光を照射する照射面６４、終端部６０に設けられた終端反射部６０Ａ、及び終端屈折部６０Ｂを備えている。終端反射部６０Ａには、入射面６２から入射された入射光を照射面６４と対向する方向（終端屈折部６０Ｂ方向）に反射させる全反射面６８が設けられている。終端屈折部６０Ｂには、全反射面６８からの反射光を入射面６２方向に反射させる全反射面７０、及び全反射面７０からの反射光を屈折させる屈折面７２が設けられている。【選択図】図２
2014096288.tif 000002
【特許請求の範囲】
【請求項１】
光源から照射された光が入射される入射面が設けられた端部と、
前記入射面と交差する方向に設けられ、前記入射面から入射された前記光源の光を被照射体に照射する照射面と、
前記入射面から入射された光を前記照射面と対向する方向に反射させる反射面を有する反射部、及び前記反射面からの反射光を前記入射面方向に反射させた後、前記照射面方向に屈折させる屈折部を有する他端部と、
を備えた導光部材。
【請求項２】
前記屈折部が、前記入射面と交差する方向に配列された複数の傾斜面と、傾斜面の間に配置されかつ入射された光を通過させる通過面とを備え、前記傾斜面により、前記反射面からの反射光を前記入射面側に配置された前記光通過面方向に反射させると共に、
前記傾斜面で反射された光が前記通過面を通過する際及び前記通過面を通過した光が前記傾斜面から入射する際の少なくとも一方の際に前記照射面方向に光を屈折させる、請求項１に記載の導光部材。
【請求項３】
前記傾斜面は、前記反射面により反射された光の入射角が臨界角以上の全反射面である、請求項２に記載の導光部材。
【請求項４】
前記通過面と、前記照射面と対向する面と、がなす該導光部材内部側の角度が９０度以上である、請求項２または請求項３に記載の導光部材。
【請求項５】
前記反射面は、前記照射面となす該導光部材内部側の角度が、９０度に臨界角を加算した角度以上の全反射面である、請求項１から請求項４のいずれか１項に記載の導光部材。
【請求項６】
前記反射面は、前記入射面から入射された平行光の入射角が臨界角以上の全反射面である、請求項１から請求項４のいずれか１項に記載の導光部材。
【請求項７】
前記反射面は、前記端部から前記他端部までの距離をＬ、前記端部の幅をＨとした場合に、前記他端面に達した、前記照射面とのなす角度が下記（１）式で表されるφ以下の角度となる光を前記照射面と対向する方向に反射させる、請求項１から請求項３のいずれか１項に記載の導光部材。
φ＝ｔａｎ−１｛（Ｈ／２）／Ｌ｝  ・・・（１）
【請求項８】
前記反射部の領域が、前記屈折部の領域よりも大きい、請求項１から請求項７のいずれか１項に記載の導光部材。
【請求項９】
前記入射面と交差する方向に複数配列され、前記光源から入射された光を前記照射面に導くプリズム面を備えた、請求項１から請求項８のいずれか１項に記載の導光部材。
【請求項１０】
光源と、
前記光源の光が入射面から入射される前記請求項１から前記請求項９のいずれか１項に記載の導光部材と、
を備えた光照射装置。
【請求項１１】
前記請求項１０記載の光照射装置を備え、
前記光照射装置から照射された光を被照射体に照射し、前記被照射体の表面の電荷を除電する、除電装置。
【請求項１２】
感光体と、
前記感光体表面を帯電する帯電手段と、
前記帯電手段により帯電された前記感光体表面を露光して静電潜像を形成する露光手段と、
前記露光手段により形成された前記静電潜像を現像する現像手段と、
前記現像手段により現像された前記静電潜像を記録媒体に転写する転写手段と、
前記転写手段による転写後に、前記感光体表面に残留する電荷を除去する前記請求項１１に記載の除電装置と、
を備えた画像形成装置。
【発明の詳細な説明】
【技術分野】
【０００１】
本発明は、導光部材、光照射装置、除電装置、及び画像形成装置に関する。
【背景技術】
【０００２】
特許文献１には、導光板と、光源と、保持部材と、反射板とを有するバックライト装置であって、導光板は、光源からの光を平面光として液晶パネルの背面に照射するものであり、光源は、前記導光板の一辺に沿う線状をなし、該導光板の側面に光を入射するものであり、保持部材は、前記光源の両端部を保持する透明部材であり、反射板は、前記光源の取り囲み、該光源からの光を前記導光板の側面側に反射し、かつ反射光を前記透明な保持部材に通して前記導光板の端部に入射させるものであることを特徴とするバックライト装置が記載されている。
【０００３】
特許文献２には、電子写真方式の画像形成装置において感光体の電荷を除電するのに用いられる光除電装置であって、前記感光体に対向して配置される導光体と、その導光体の光入射面に光を照射する光源とを有し、前記導光体には前記光源からの光を前記感光体に向けて反射する拡散反射面が形成され、その拡散反射面は、当該導光体の前記感光体への光出射面に対する高さ、及び、当該拡散反射面の幅が前記光源からの距離に応じて変化し、前記導光体の終端部近傍上面に反射部材が配置されていることを特徴とする光除電装置が記載されている。
【先行技術文献】
【特許文献】
【０００４】
【特許文献１】特開平１０−３１９３９５号公報
【特許文献２】特開２００６−０９１３３２号公報
【発明の概要】
【発明が解決しようとする課題】
【０００５】
本発明は、本構成を有しない場合と比較して、被照射体に照射する光量を均一にする導光部材、光照射装置、除電装置、及び画像形成装置を提供することを目的とする。
【課題を解決するための手段】
【０００６】
上記目的を達成するために、本発明の導光部材は、光源から照射された光が入射される入射面が設けられた端部と、前記入射面と交差する方向に設けられ、前記入射面から入射された前記光源の光を被照射体に照射する照射面と、前記入射面から入射された光を前記照射面と対向する方向に反射させる反射面を有する反射部、及び前記反射面からの反射光を前記入射面方向に反射させた後、前記照射面方向に屈折させる屈折部を有する他端部と、を備える。
【０００７】
本発明の導光部材は、前記屈折部が、前記入射面と交差する方向に配列された複数の傾斜面と、傾斜面の間に配置されかつ入射された光を通過させる通過面とを備え、前記傾斜面により、前記反射面からの反射光を前記入射面側に配置された前記光通過面方向に反射させると共に、前記傾斜面で反射された光が前記通過面を通過する際及び前記通過面を通過した光が前記傾斜面から入射する際の少なくとも一方の際に前記照射面方向に光を屈折させることが好ましい。
【０００８】
本発明の導光部材の前記傾斜面は、前記反射面により反射された光の入射角が臨界角以上の全反射面であることが好ましい。
【０００９】
また、本発明の導光部材は、前記通過面と、前記照射面と対向する面と、がなす該導光部材内部側の角度が９０度以上であることがこのましい。
【００１０】
本発明の導光部材の前記反射面は、前記照射面となす該導光部材内部側の角度が、９０度に臨界角を加算した角度以上の全反射面であることが好ましい。
【００１１】
本発明の導光部材の前記反射面は、前記入射面から入射された平行光の入射角が臨界角以上の全反射面であることが好ましい。
【００１２】
本発明の導光部材の前記反射面は、前記端部から前記他端部までの距離をＬ、前記端部の幅をＨとした場合に、前記他端面に達した、前記照射面とのなす角度が下記（１）式で表されるφ以下の角度となる光を前記照射面と対向する方向に反射させることが好ましい。
【００１３】
φ＝ｔａｎ−１｛（Ｈ／２）／Ｌ｝  ・・・（１）
本発明の導光部材は、前記反射部の領域が、前記屈折部の領域よりも大きいことが好ましい。
【００１４】
本発明の導光部材は、前記入射面と交差する方向に複数配列され、前記光源から入射された光を前記照射面に導くプリズム面を備えることが好ましい。
【００１５】
本発明の光照射装置は、光源と、前記光源の光が入射面から入射される本発明の導光部材と、を備える。
【００１６】
本発明の除電装置は、本発明の光照射装置を備え、前記光照射装置から照射された光を被照射体に照射し、前記被照射体の表面の電荷を除電する。
【００１７】
本発明の画像形成装置は、感光体と、前記感光体表面を帯電する帯電手段と、前記帯電手段により帯電された前記感光体表面を露光して静電潜像を形成する露光手段と、前記露光手段により形成された前記静電潜像を現像する現像手段と、前記現像手段により現像された前記静電潜像を記録媒体に転写する転写手段と、前記転写手段による転写後に、前記感光体表面に残留する電荷を除去する本発明の除電装置と、を備える。
【発明の効果】
【００１８】
請求項１、請求項１０、請求項１１、及び請求項１２に記載の発明によれば、本構成を有しない場合と比較して、被照射体に照射する光量が均一になる。
【００１９】
請求項２に記載の発明によれば、本構成を有しない場合と比較して、被照射体に照射する光量がより均一になる。
【００２０】
請求項３及び請求項４に記載の発明によれば、本構成を有しない場合と比較して、多くの光が照射面に導かれる。
【００２１】
請求項５に記載の発明によれば、本構成を有しない場合と比較して、被照射体に照射する光量がより均一になる。
【００２２】
請求項６、請求項７、及び請求項８に記載の発明によれば、本構成を有しない場合と比較して、多くの光を照射面と対向する方向に反射させられる。
【００２３】
請求項８に記載の発明によれば、本構成を有しない場合と比較して、多くの光が屈折部に導かれる。
【００２４】
請求項９に記載の発明によれば、本構成を有しない場合と比較して、入射面から入射した入射光を拡散させて照射面から照射させられる。
【図面の簡単な説明】
【００２５】
【図１】本実施の形態に係る画像形成装置の一例の概略を示す概略構成図である。
【図２】本実施の形態に係るイレーズランプの一例の概略構成を示す概略構成図であり、（Ａ）は、全体図であり、（Ｂ）は終端部近傍の斜視図であり、（Ｃ）は、終端部近傍の側面図である。
【図３】本実施の形態に係る導光路の入射面から入射され、終端部（全反射面）に到達した光を説明する説明図である。
【図４】図３の後、本実施の形態に係る導光路の全反射面で反射された光を説明する説明図である。
【図５】本実施の形態に係る導光路に用いられる主な材料の、屈折率ｎ及び臨界角θｃを示す説明図である。
【図６】本実施の形態に係る導光路に入射面６２から入射され終端部に到達する光を説明するための説明図である。
【図７】図４の後、本実施の形態に係る導光路の全反射面で反射された光を説明する説明図である。
【図８】図７の後、本実施の形態に係る導光路の屈折面で屈折された光を説明する説明図である。
【図９】本実施の形態に係る導光路及び比較例の導光路におけるシミュレーションによる光量分布の計算結果を示した説明図である。
【図１０】本実施の形態に係る導光路の終端部のその他の具体的例を示す概略図である。
【図１１】本実施の形態に係る導光路の終端部のその他の具体的例を示す概略図である。
【図１２】本実施の形態に係る導光路の終端部のその他の具体的例を示す概略図であり、（Ａ）は導光路の終端部の側面図であり、（Ｂ）は、斜視図である。
【図１３】本実施の形態に係る導光路の終端部のその他の具体的例を示す概略図であり、（Ａ）は導光路の終端部の側面図であり、（Ｂ）は、斜視図である。
【図１４】本実施の形態に係る導光路全体形状のその他の具体的例を示す概略図である。
【図１５】本実施の形態に係る導光路全体形状のその他の具体的例を示す概略図であり、（Ａ）は、プリズム面側から見た上面図であり、（Ｂ）は側面図であり、（Ｃ）は、終端部側から見た端面図である。
【図１６】本実施の形態に係る導光路全体形状のその他の具体的例を示す概略図であり、入射面の幅Ｈが終端部の幅Ｈよりも大きい場合の具体的例である。
【図１７】本実施の形態に係る導光路全体形状のその他の具体的例を示す概略図であり、終端部の幅Ｈが入射面の幅Ｈよりも大きい場合の具体的例である。
【発明を実施するための形態】
【００２６】
以下、図面を参照して本発明の実施の形態の一例を詳細に説明する。
（画像形成装置）
図１に、本実施の形態の画像形成装置の一例の概略を示す概略構成図を示す
本実施形態に係る画像形成装置１０は、図１に示すように、矢印Ａ方向に定速回転する感光体１２を備えている。
【００２７】
この感光体１２の周囲には、感光体１２の回転方向に沿って、感光体１２表面を帯電する帯電器１４、帯電器１４により帯電された感光体１２表面に静電潜像を形成するために露光するための光源ヘッド１６（露光手段）、トナー像を形成するために静電潜像を現像剤により現像する現像器１８（現像手段）、トナー像を用紙２８（記録媒体）に転写する転写体２０（転写手段）、転写後に感光体１２の残存した残トナーを除去するためのクリーナ２２、感光体１２を除電し電位を均一化するイレーズランプ２４（除電装置）が順に配設されている。
【００２８】
すなわち、感光体１２は、帯電器１４によって表面が帯電された後、光源ヘッド１６によって光ビームが照射されて、感光体１２上に潜像が形成される。なお、発光素子を備える光源ヘッド１６は、駆動部（不図示）と接続されており、駆動部によって発光素子の点灯を制御して、画像データに基づいて光ビームを出射するようになっている。
【００２９】
形成された潜像には、現像器１８によってトナーが供給されて、感光体１２上にトナー像が形成される。感光体１２上のトナー像は、転写体２０によって、搬送されてきた用紙２８に転写される。転写後に感光体１２に残留しているトナーはクリーナ２２によって除去される。また、感光体１２は、表面に残留する電荷がイレーズランプ２４から照射された照射光によって除電された後、再び帯電器１４によって帯電されて、同様の処理を繰り返す。
【００３０】
一方、トナー像が転写された用紙２８は、加圧ローラ３０Ａと加熱ローラ３０Ｂからなる定着器３０に搬送されて定着処理が施される。これにより、トナー像が定着されて、用紙２８上に所望の画像が形成される。画像が形成された用紙２８は装置外へ排出される。
（イレーズランプ）
次に、本実施の形態のイレーズランプ２４及びイレーズランプ２４に用いられる導光路（導光部材）について詳細に説明する。
【００３１】
まず、本実施の形態のイレーズランプ２４及び導光路の構成について説明する。図２に、本実施の形態に係るイレーズランプ２４の一例の概略構成を示す概略構成図を示す。図２（Ａ）は、イレーズランプ２４の全体図であり、（Ｂ）は終端部近傍の斜視図であり、（Ｃ）は、終端部近傍の側面図である。
【００３２】
図２（Ａ）に示すように、本実施の形態のイレーズランプ２４は、感光体１２の回転軸方向に沿って設けられており、光源５０と、感光体１２の回転軸方向の長さに応じた長さの導光路５２と、を備えている。
【００３３】
光源５０は、感光体１２に残留する電荷を除電するための光を出射する機能を有している。本実施の形態では、単光源を用いており、光源５０としては、ＬＥＤ、端面発光レーザ、及び面発光レーザ（ＶＣＳＥＬ）のいずれかを用いることが好ましい。
【００３４】
導光路５２は、感光体１２の回転軸方向に沿った表面全体に照射面６４から光を照射させるため、感光体１２の回転軸方向に沿った長さに応じた長尺状の形状を有している。本実施の形態の導光路５２は、光源５０からの光が入射される入射面６２、入射された光を感光体１２に照射する照射面６４、入射された光を照射面６４に向けて拡散させるプリズム面６６、全反射面６８（反射面）、全反射面７０（傾斜面）、及び屈折面７２（通過面）を備えている。導光路５２の材料としては、ポリスチレン、アクリルスチレン、ポリメチルメタアクリレート、ポリカーボネイト、及びポリエチレンテレフタラート等の透明樹脂や、ガラス等が用いられる。
【００３５】
プリズム面６６は、入射面６２から入射された光を照射面６４に導くために、複数のプリズムが設けられており、到達した光をプリズムにより、照射面６４に向けて、屈折させ、拡散させる機能を有している。なお、プリズム面６６に設けられている複数のプリズムの間隔（密度）や大きさ、面積等は、均一であってもよいし、異なっていてもよい。プリズムを設ける間隔や大きさは、当該プリズムにより反射させた光が照射面６４から感光体１２に均一に照射されるように定めることが好ましい。なお、プリズム面６６を設けずに、照射面６４と対向する面を平面状に構成してもよいが、照射面６４から照射する光量を増加すると共に均一にするために、本実施の形態のように、プリズム面６６を設けることが好ましい。
【００３６】
導光路５２の全反射面６８、全反射面７０、及び屈折面７２は、導光路５２の終端部６０に設けられている。以下、図２（Ｃ）に示すように、全反射面６８が設けられている終端部６０の領域を終端反射部６０Ａといい、全反射面７０及び屈折面７２が設けられている終端部６０の領域を終端屈折部６０Ｂという。なお、終端部６０は、入射面６２を導光路５２の端部とした場合における、他端部にあたる。
【００３７】
全反射面６８は、終端部６０（終端反射部６０Ａ）に到達した光を照射面６４と対向する方向（プリズム面６６及び終端屈折部６０Ｂ方向）に反射する機能を有している。
【００３８】
本実施の形態では、全反射面７０及び屈折面７２は、終端屈折部６０Ｂに複数設けられている。終端屈折部６０Ｂでは、全反射面６８からの反射光を入射面６２の方向に反射させた後、照射面６４方向に屈折させる機能を有している。全反射面７０は、全反射面６８で反射された光を入射面６２の方向に反射する機能を有しており、屈折面７２は、全反射面７０で反射された光を照射面６４方向に屈折させる機能を有している。
【００３９】
なお、終端屈折部６０Ｂに設ける全反射面７０及び屈折面７２の数や大きさは、全反射面７０及び屈折面７２を複数設けることが好ましいが、終端屈折部６０Ｂで、反射及び屈折させ照射面６４に導いた光が均一に照射されるように定めればよい。導光路５２の材質、形状等に応じて定めてもよい。
【００４０】
次に、本実施の形態の導光路５２において、終端反射部６０Ａに到達した光を照射面６４に導く作用について説明する。
【００４１】
図３に、入射面６２から入射され、終端部６０（全反射面６８）に到達した光を示す。図３の矢印Ｌ１が、終端部６０（全反射面６８）に到達した、入射面６２から入射された光の進行方向を示している。本実施の形態の導光路５２は、長尺状であるため、終端部６０に到達する光は、ほぼ平行光となっている。
【００４２】
次に、図４に、全反射面６８で反射された光を示す。図４の矢印Ｌ２が、全反射面６８で反射された光の進行方向を示している。図４に示すように、全反射面６８に到達した光は、全反射面６８で、照射面６４と対向する方向に反射される。この際、終端部６０に到達した光の入射角が臨界角θｃ以上の光を、導光路５２内部に向けて反射させ、光が終端部６０（全反射面６８）から外部に漏れてしまうのを抑制するために、全反射面６８と照射面６４とのなす角度θ１’（導光路５２内部側の角度）を９０度＋θｃ以上の角度とし、角度θ１を、９０度−θｃ以下の角度としている。臨界角θｃは、導光路５２に用いる材料の屈折率ｎにより定まり、以下の（１）式により算出される。
【００４３】
θｃ＝ｓｉｎ−１（１／ｎ）    ・・・（１）
図５に、導光路５２に用いられる主な材料の、屈折率ｎ及び臨界角θｃを示す。
【００４４】
長尺な導光路５２の終端部６０に到達する光は、照射面６４と平行に近い角度のもの（平行光）が多いため、このように、全反射面６８の角度θ１’、θ１を定めることにより、効率よく、反射（全反射）させられる。
【００４５】
なお、照射面６４が光源５０の平行光に対して略平行に設けられていない場合、例えば、導光路５２の入射面６２側の幅Ｈが小さく、終端部６０側の幅Ｈが大きい場合等は、角度θ１’、θ１に係わらず、光源５０の平行光の入射角が臨界角θｃ以上となるようにすればよい。
【００４６】
なお、図６に示すように、本実施の形態では、照射面６４と対向する面により多くの光を導くため、終端部６０に到達した平行光に限らず、プリズム面６６等で反射されることなく終端部６０に到達した光を照射面６４と対向する面に反射させるように全反射面６８が設けられている。プリズム面６６等で反射されることなく終端部６０に到達した光とは、照射面６４とのなす角度が以下の（２）式により算出される角度φ以下となる光である。図６に示すように（２）式におけるＨは、入射面６２における導光路５２の幅（照射面６４とプリズム面６６との距離）であり、Ｌは、導光路５２の長尺方向の長さである。
【００４７】
φ＝ｔａｎ−１｛（Ｈ／２）／Ｌ｝    ・・・（２）
次に、図７に、全反射面７０で反射された光を示す。図７の矢印Ｌ３が、全反射面７０で反射された光の進行方向を示している。図７に示すように、全反射面６８で反射された光は、全反射面７０により入射面６２方向に反射され、屈折面７２に到達する。
【００４８】
この際、全反射面７０に到達した光を、導光路５２の内部で入射面６２方向に反射させるために、全反射面７０に対する入射角が臨界角θｃ以上となるように全反射面７０を設けている。すなわち、全反射面７０と、全反射面６８で反射された光とのなす角θ２を、９０度−θｃ以下の角度としている。
【００４９】
次に、図８に、屈折面７２で屈折された光を示す。図８の矢印Ｌ４が、屈折面７２で屈折された光の進行方向を示している。図８に示すように、全反射面７０で反射された光は、屈折面７２により屈折され、一旦、導光路５２の外部に出射される。その後、再び当該屈折面７２と対向する全反射面７０から導光路５２内部に入射し、照射面６４に導かれる（図８、矢印Ｌ５参照）。
【００５０】
この際、全反射面７０で反射された光を屈折させて照射面６４に導くために、屈折面７２とプリズム面６６とのなす角θ３を９０度以上の角度としている。
【００５１】
なお、全反射面７０で反射された光が屈折面７２を通過する際に、屈折せずにそのまま通過する場合があるが、全反射面７０から入射する際に照射面６４に向けて屈折すればよい。
【００５２】
このようにして照射面６４に導かれた光は、照射面６４から被照射体に向けて照射される。
【００５３】
以上説明したように、本実施の形態のイレーズランプ２４では、導光路５２が、光源５０から照射された光が入射する入射面６２、感光体１２に光を照射する照射面６４、終端部６０に設けられた終端反射部６０Ａ、及び終端屈折部６０Ｂを備えている。終端反射部６０Ａには、入射面６２から入射された入射光を照射面６４と対向する方向（終端屈折部６０Ｂ方向）に反射させる全反射面６８が設けられている。終端屈折部６０Ｂには、全反射面６８からの反射光を入射面６２方向に反射させる全反射面７０、及び全反射面７０からの反射光を屈折させる屈折面７２が設けられている。
【００５４】
終端部６０に到達した光は、全反射面６８で反射した後、全反射面７０でさらに反射され、屈折面７２を通過して導光路５２の外部に一旦、出射された後、再び全反射面７０から導光路５２の内部に入射される。屈折面７２を通過し、全反射面７０から再び入射される際に、照射面６４に向けて光が屈折する。
【００５５】
これにより、終端部６０に到達した光を終端部６０から外部に通過させることなく、照射面６４から感光体１２に照射させられる。
【００５６】
シミュレーションによる光量分布の計算結果を図９に示す。なお、図９には、本実施の形態の導光路５２（イレーズランプ２４）による光量分布と、比較例として、導光路の終端部を本実施の形態のように構成しない場合（終端部の端面が入射面と略平行となるように設けた場合）の光量分とを示す。
【００５７】
比較例の場合、終端部に到達する光は光量が少なく、また、終端部の端面から多くの光が外部に通過してしまうのに対し、本実施の形態の導光路５２では、終端部６０に到達した光を外部に通過させないように構成している。図９からもわかるように、本実施の形態の導光路５２では、比較例に比べて、終端部６０近傍の光量が増加している。また、終端屈折部６０Ｂに設けた複数の全反射面７０及び屈折面７２により、全反射面６８からの反射光を反射及び屈折させているため、照射面６４に導いた光が終端部６０付近に偏らず広範囲に拡散される。
【００５８】
従って、図９に示すように本実施の形態の導光路５２では、照射面６４から感光体１２に照射する光量が均一になる。
【００５９】
また、本実施の形態の導光路５２では、終端部に全反射面６８、全反射面７０、及び全反射面７０を設けるのみで、終端部６０に反射部材等を別途設けることがない。従って、反射部材を設ける場合に比べてコストが抑制される。
【００６０】
また、本実施の形態では、終端反射部６０Ａを終端屈折部６０Ｂよりも大きくしているため、終端屈折部６０Ｂに導く光量が多くなり、より照射面６４から照射される光量が均一になる。
【００６１】
なお、上記本実施の形態は、本発明の一例であり、本発明の主旨を逸脱しない範囲内において状況に応じて変更可能であることはいうまでもない。以下に、本発明のその他の例として、導光路５２の変形例について説明する。
【００６２】
導光路５２の終端部６０の変形例について図１０から図１３を参照して説明する。
【００６３】
図１０には、本実施の形態の導光路５２の終端部６０よりも、全反射面６８の角度θ１が小さい場合の具体的一例を示す。このような場合であっても、角度θ１（角度θ１’）が上述した範囲内の角度であれば、効果が得られる。また、図１１には、本実施の形態の導光路５２の終端部６０よりも、屈折面７２の角度θ３が大きい場合の具体的一例を示す。このような場合であっても、角度θ３が上述した範囲内の角度であれば、効果が得られる。
【００６４】
また、図１２には、終端部６０の終端反射部６０Ａの全反射面６８を複数の反射面を有するように構成した場合の具体的一例を示す。図１２（Ａ）は導光路５２の終端部６０の側面図であり、（Ｂ）は、斜視図である。図１２（Ａ）に示すように、全反射面６８を、角度θ１１を有する反射面、角度θ１２を有する反射面、及び角度θ１３を有する反射面により構成する。このように構成することにより、終端部６０の機械的強度を向上させられる。また、終端部６０に到達した平行光以外の光についても、終端屈折部６０Ｂに向けて反射させやすくなる。なお、このように構成する場合、角度θ１１、角度θ１２、及び角度θ１３は、上記角度θ１の条件を満たすように構成することが好ましい。
【００６５】
さらに、図１３に、終端部６０の終端反射部６０Ａの全反射面６８が曲面からなるように構成した場合の具体的一例を示す。図１２（Ａ）は導光路５２の終端部６０の側面図であり、（Ｂ）は、斜視図である。このような場合では、図１２における全反射面６８の反射面の数をより多くした場合と同様の効果が得られる。
【００６６】
また全反射面６８と同様に、全反射面７０及び屈折面７２を曲面からなるように構成してもよい。
【００６７】
また、導光路５２全体の形状の変形例について図１４から図１７に示す。図１４には、導光路５２全体の形状を平面状とした場合の具体的一例の斜視図を示す。また、図１５には、導光路５２全体の形状を円筒状とした場合の具体的一例の斜視図を示す。図１５（Ａ）は、プリズム面６６側から見た上面図であり、（Ｂ）は側面図であり、（Ｃ）は、終端部６０側から見た端面図である。
【００６８】
また、導光路５２の幅Ｈは、入射面６２と終端部６０とで異なっていてもよい。入射面６２の幅Ｈが終端部６０の幅Ｈよりも大きい場合の具体的例を図１６及び図１７に示す。図１６は、プリズム面６６が傾斜（感光体１２に対して傾斜）している場合の具体的一例を示している。また、図１７は、照射面６４が傾斜（感光体１２に対して傾斜）している場合の具体的一例を示している。なお、照射面６４及びプリズム面６６の両者を傾斜させてもよい。また、終端部６０の幅Ｈを入射面６２の幅Ｈよりも大きくしてもよい。
【００６９】
導光路５２の形状をいずれとするかは、照射面６４から感光体１２に光を均一に照射する観点から定めればよい。
【００７０】
また、本実施の形態では、自己走査型の電子写真式の画像形成装置１０に用いられるイレーズランプ２４に本発明を適用する場合について説明したがこれに限らない。本実施の形態のイレーズランプ２４を他の画像形成装置に適用するようにしてもよい。また、イレーズランプ２４を光源５０から入射された光を被照射体に照射する光照射装置として用いる場合は、スキャナ等、他の装置の照明装置や液晶等のバックライトに適用してもよい。
【符号の説明】
【００７１】
１０  画像形成装置
２４  イレーズランプ（光照射装置、除電装置）
５０  光源
５２  導光路（導光部材）
６０  終端部（他端部）、６０Ａ  終端反射部、６０Ｂ  終端屈折部６０Ｂ
６２  入射面
６４  照射面
６６  プリズム面
６８  全反射面（反射面）
７０  全反射面（傾斜面）
７２  屈折面（通過面）
【図１】
2014096288.tif 000003
【図２】
2014096288.tif 000004
【図３】
2014096288.tif 000005
【図４】
2014096288.tif 000006
【図５】
2014096288.tif 000007
【図６】
2014096288.tif 000008
【図７】
2014096288.tif 000009
【図８】
2014096288.tif 000010
【図９】
2014096288.tif 000011
【図１０】
2014096288.tif 000012
【図１１】
2014096288.tif 000013
【図１２】
2014096288.tif 000014
【図１３】
2014096288.tif 000015
【図１４】
2014096288.tif 000016
【図１５】
2014096288.tif 000017
【図１６】
2014096288.tif 000018
【図１７】
2014096288.tif 000019